(57)【要約】【課題】  遊技機間あるいは機種間の評価を容易に行うことができる遊技機評価支援装置を提供する。【解決手段】  台ユニット１１０は、遊技機１１１から送信された遊技機情報と遊技機１１１の台番号を島ユニット１００を介して管理装置１０に送信する。管理装置１０の遊技機情報収集手段１０ａは、台ユニット１１０から受信した遊技機情報に基づいて、記憶装置１１の実績遊技機情報データベース１１ａに記憶されている、受信した台番号に対応する当該営業日の実績可変遊技機情報を更新する。遊技機情報予測手段１０ｂは、実績遊技機情報データベース１１ａに記憶されている各遊技機の各営業日の実績遊技機情報に基づいて、将来営業日における各機種の予測可変遊技機情報を算出する。遊技機評価情報算出手段１０ｃは、遊技機情報予測手段１１ｂで算出した、将来営業日における各機種の予測可変遊技機情報に基づいて、将来営業日における各機種の遊技機評価情報を算出する。【選択図】    図１
2006192033.tif 000002
【特許請求の範囲】
【請求項１】
遊技に応じて変化する可変遊技機情報を送信する遊技機の評価作業を支援するための遊技機評価支援装置であって、
遊技機に対応して設けられた遊技機端末装置と、管理装置と、記憶装置を備え、
前記記憶装置は、第１の期間内の各営業日における、遊技に応じて変化する各遊技機の実績可変遊技機情報と、遊技に応じて変化しない実績固定遊技機情報とを含む実績遊技機情報を記憶する実績遊技機情報データベースを有し、
前記遊技機端末装置は、対応する遊技機から送信された可変遊技機情報を受信し、受信した可変遊技機情報を含む遊技機情報を前記管理装置に送信し、
前記管理装置は、
前記遊技機端末装置から送信された遊技機情報を受信すると、前記受信した遊技機情報に含まれている可変遊技機情報に基づいて、前記実績遊技機情報データベースに記憶されている、前記受信した遊技機情報に含まれている可変遊技機情報を送信した遊技機の、当該営業日における実績可変遊技機情報を更新する遊技機情報収集手段と、
前記実績遊技機情報データベースに記憶されている各遊技機の各営業日における実績遊技機情報に基づいて、各遊技機の将来営業日における予測可変遊技機情報を算出する遊技機情報予測手段と、
前記遊技機情報予測手段により算出された各遊技機の将来営業日における予測可変遊技機情報を用いて、遊技機評価情報算出式により各遊技機の予測遊技機評価情報を算出する遊技機評価情報算出手段を有する、
ことを特徴とする遊技機評価支援装置。
【請求項２】
遊技に応じて変化する可変遊技機情報を送信する遊技機の評価作業を支援するための遊技機評価支援装置であって、
遊技機に対応して設けられた遊技機端末装置と、管理装置と、記憶装置を備え、
前記記憶装置は、第１の期間内の各営業日における、遊技に応じて変化する各遊技機の実績可変遊技機情報と、各遊技機のグループを示すグループ識別情報を含む遊技に応じて変化しない実績固定遊技機情報とを含む実績遊技機情報を記憶する実績遊技機情報データベースを有し、
前記遊技機端末装置は、対応する遊技機から送信された可変遊技機情報を受信し、受信した可変遊技機情報を含む遊技機情報を前記管理装置に送信し、
前記管理装置は、
前記遊技機端末装置から送信された遊技機情報を受信すると、前記受信した遊技機情報に含まれている可変遊技機情報に基づいて、前記実績遊技機情報データベースに記憶されている、前記受信した遊技機情報に含まれている可変遊技機情報を送信した遊技機の、当該営業日における実績可変遊技機情報を更新する遊技機情報収集手段と、
前記実績遊技機情報データベースに記憶されている各遊技機の各営業日における実績遊技機情報に基づいて、各遊技機の将来営業日における予測可変遊技機情報を算出する遊技機情報予測手段と、
前記遊技機情報予測手段により算出された各遊技機の将来営業日における予測可変遊技機情報を、前記実績遊技機情報データベースに記憶されている各遊技機のグループ識別情報で示されるグループ単位に集計し、前記集計した各グループ単位の将来営業日における予測可変遊技機情報を用いて、遊技機評価情報算出式により各グループ単位の予測遊技機評価情報を算出する遊技機評価情報算出手段を有する、
ことを特徴とする遊技機評価支援装置。
【請求項３】
遊技に応じて変化する可変遊技機情報を送信する遊技機の評価作業を支援するための遊技機評価支援装置であって、
遊技機に対応して設けられた遊技機端末装置と、管理装置と、記憶装置を備え、
前記記憶装置は、第１の期間内の各営業日における、遊技に応じて変化する各遊技機の実績可変遊技機情報と、各遊技機のグループを示すグループ識別情報を含む遊技に応じて変化しない実績固定遊技機情報とを含む実績遊技機情報を記憶する実績遊技機情報データベースを有し、
前記遊技機端末装置は、対応する遊技機から送信された可変遊技機情報を受信し、受信した可変遊技機情報を含む遊技機情報を前記管理装置に送信し、
前記管理装置は、
前記遊技機端末装置から送信された遊技機情報を受信すると、前記受信した遊技機情報に含まれている可変遊技機情報に基づいて、前記実績遊技機情報データベースに記憶されている、前記受信した遊技機情報に含まれている可変遊技機情報を送信した遊技機の、当該営業日における実績可変遊技機情報を更新する遊技機情報収集手段と、
前記実績遊技機情報データベースに記憶されている各遊技機の各営業日における実績遊技機情報を、前記実績遊技機情報データベースに記憶されている各遊技機のグループ識別情報で示されるグループ単位に集計し、前記集計した各グループ単位の各営業日における実績遊技機情報に基づいて、各グループ単位の将来営業日における予測可変遊技機情報を算出する遊技機情報予測手段と、
前記遊技機情報予測手段により算出された各グループ単位の将来営業日における予測可変遊技機情報を用いて、遊技機評価情報算出式により各グループ単位の予測遊技機評価情報を算出する遊技機評価情報算出手段を有する、
ことを特徴とする遊技機評価支援装置。
【請求項４】
遊技に応じて変化する可変遊技機情報を送信する遊技機の評価作業を支援するための遊技機評価支援装置であって、
遊技機に対応して設けられた遊技機端末装置と、管理装置と、記憶装置を備え、
前記記憶装置は、第１の期間内の各営業日における、遊技に応じて変化する各遊技機の実績可変遊技機情報と、各遊技機のグループを示すグループ識別情報を含む遊技に応じて変化しない実績固定遊技機情報とを含む実績遊技機情報を記憶する実績遊技機情報データベースを有し、
前記遊技機端末装置は、対応する遊技機から送信された可変遊技機情報を受信し、受信した可変遊技機情報を含む遊技機情報を前記管理装置に送信し、
前記管理装置は、
前記遊技機端末装置から送信された遊技機情報を受信すると、前記受信した遊技機情報に含まれている可変遊技機情報に基づいて、前記実績遊技機情報データベースに記憶されている、前記受信した遊技機情報に含まれている可変遊技機情報を送信した遊技機の、当該営業日における実績可変遊技機情報を更新する遊技機情報収集手段と、
前記実績遊技機情報データベースに記憶されている各遊技機の各営業日における実績遊技機情報に基づいて、各遊技機の将来営業日における予測可変遊技機情報を算出し、また、前記実績遊技機情報データベースに記憶されている各遊技機の各営業日における実績遊技機情報を、前記実績遊技機情報データベースに記憶されている各遊技機のグループ識別情報で示されるグループ単位に集計し、前記集計した各グループ単位の各営業日における実績遊技機情報に基づいて、各グループ単位の将来営業日における予測可変遊技機情報を算出する遊技機情報予測手段と、
前記遊技機情報予測手段により算出された、各遊技機の将来営業日における予測可変遊技機情報と各グループ単位の将来営業日における予測可変遊技機情報を用いて、遊技機評価情報算出式により各遊技機の予測遊技機評価情報を算出する遊技機評価情報算出手段を有する、
ことを特徴とする遊技機評価支援装置。
【請求項５】
遊技に応じて変化する可変遊技機情報を送信する遊技機の評価作業を支援するための遊技機評価支援装置であって、
遊技機に対応して設けられた遊技機端末装置と、管理装置と、記憶装置を備え、
前記記憶装置は、第１の期間内の各営業日における、遊技に応じて変化する各遊技機の実績可変遊技機情報と、各遊技機のグループを示すグループ識別情報を含む遊技に応じて変化しない実績固定遊技機情報とを含む実績遊技機情報を記憶する実績遊技機情報データベースを有し、
前記遊技機端末装置は、対応する遊技機から送信された可変遊技機情報を受信し、受信した可変遊技機情報を含む遊技機情報を前記管理装置に送信し、
前記管理装置は、
前記遊技機端末装置から送信された遊技機情報を受信すると、前記受信した遊技機情報に含まれている可変遊技機情報に基づいて、前記実績遊技機情報データベースに記憶されている、前記受信した遊技機情報に含まれている可変遊技機情報を送信した遊技機の、当該営業日における実績可変遊技機情報を更新する遊技機情報収集手段と、
前記実績遊技機情報データベースに記憶されている各遊技機の各営業日における実績遊技機情報に基づいて、各遊技機の将来営業日における予測可変遊技機情報を算出する遊技機情報予測手段と、
前記遊技機情報予測手段により算出された、各遊技機の将来営業日における予測可変遊技機情報を、前記実績遊技機情報データベースに記憶されている各遊技機のグループ識別情報で示されるグループ単位に集計し、前記遊技機情報予測手段により算出された各遊技機の将来営業日における予測可変遊技機情報と前記集計した各グループ単位の将来営業日における予測可変遊技機情報を用いて、遊技機評価情報算出式により各遊技機の予測遊技機評価情報を算出する遊技機評価情報算出手段を有する、
ことを特徴とする遊技機評価支援装置。
【請求項６】
請求項１〜５のいずれかに記載の遊技機評価支援装置であって、
前記管理装置は、ユーザ端末装置から送信される遊技機評価情報算出式を受信可能に構成されており、
前記遊技機評価情報算出手段は、
前記受信した遊技機評価情報算出式中の可変遊技機情報が前記実績遊技機情報データベースに記憶されている場合には、前記実績遊技機情報データベースに記憶されている各遊技機の各営業日における実績可変遊技機情報に基づき、前記受信した遊技機評価情報算出式を用いて各遊技機あるいは各グループ単位の実績遊技機評価情報を算出し、
前記受信した遊技機評価情報算出式中の可変遊技機情報が前記実績遊技機情報データベースに記憶されていない場合には、前記遊技機情報予測手段により算出した各遊技機あるいは各グループ単位の将来営業日における予測可変遊技機情報に基づき、前記受信した遊技機評価情報算出式を用いて各遊技機あるいは各グループ単位の予測遊技機評価情報を算出する、
ことを特徴とする遊技機評価支援装置。
【請求項７】
請求項１〜６のいずれかに記載の遊技機評価支援装置であって、
前記実績固定遊技機情報には、各営業日が休日であったか否かを判別可能な休日情報、各遊技機が設置されてから各営業日までの設置日数を判別可能な設置日数情報、各営業日にイベントが行われたか否かを判別可能なイベント情報の少なくとも一つの情報が含まれており、
前記遊技情報予測手段は、前記実績遊技機情報データベースに記憶されている実績遊技機情報と、将来営業日が休日であるか否かを判別可能な休日情報、各遊技機が設置されてから前記将来営業日までの設置日数を判別可能な設置日数情報、前記将来営業日にイベントが行われるか否かを判別可能なイベント情報の少なくとも一つの情報に基づいて、各遊技機あるいは各グループ単位の前記将来営業日における予測可変遊技機情報を算出する、
ことを特徴とする遊技機評価支援装置。
【請求項８】
請求項７に記載の遊技機評価支援装置であって、
前記遊技機情報予測手段は、前記遊技機情報データベースに記憶されている実績遊技機情報と、将来の第２の期間内の各営業日が休日であるか否かを判別可能な休日情報、各遊技機が設置されてから前記将来の第２の期間内の各営業日までの設置日数を判別可能な設置日数情報、前記将来の第２の期間内の各営業日にイベントが行われるか否かを判別可能なイベント情報の少なくとも一つの情報に基づいて、各遊技機あるいは各グループ単位の前記将来の第２の期間内の各営業日における予測可変遊技機情報を算出し、
前記遊技機評価情報算出手段は、前記遊技機情報予測手段により算出された各遊技機あるいは各グループ単位の前記将来の第２の期間内の各営業日における予測可変遊技機情報を用いて、各遊技機あるいは各グループ単位の前記将来の第２の期間内の各営業日における予測遊技機評価情報を算出する、
ことを特徴とする遊技機評価支援装置。
【請求項９】
請求項１〜８のいずれかに記載の遊技機評価支援装置であって、
前記遊技機情報予測手段は、前記遊技機情報データベースに記憶されている実績遊技機情報に基づき、重回帰分析方法を用いて前記各遊技機あるいは各グループ単位の予測可変遊技機情報を算出するための予測可変遊技機情報算出式を求め、求めた予測可変遊技機情報算出式を用いて前記各遊技機あるいは各グループ単位の予測可変遊技機情報を算出する、
ことを特徴とする遊技機評価支援装置。
【請求項１０】
請求項１〜９のいずれかに記載の遊技機評価支援装置であって、
前記遊技機評価情報算出手段は、前記遊技機情報予測手段により算出された各遊技機あるいは各グループ単位の予測可変遊技機情報の相対値を予測遊技機評価情報として算出する、
ことを特徴とする遊技機評価支援装置。
【請求項１１】
請求項１〜１０のいずれかに記載の遊技機評価支援装置であって、
前記実績遊技機情報データベースに記憶されている、各遊技機の各営業日における実績可変遊技機情報には、各遊技機の各営業日におけるアウト玉情報あるいは売上情報の少なくとも一方が含まれており、
前記遊技機は、アウト玉情報あるいは売上情報の少なくとも一方を前記可変遊技機情報として前記遊技機端末装置に送信し、
前記遊技機端末装置は、前記遊技機から送信されたアウト玉情報あるいは売上情報の少なくとも一方を含む遊技機情報を前記管理装置に送信し、
前記遊技機情報収集手段は、前記遊技機端末装置から送信された遊技機情報に含まれているアウト玉情報あるいは売上情報に基づいて、当該アウト玉情報あるいは売上情報を送信した遊技機の、当該営業日におけるアウト玉情報あるいは営業情報を更新し、
前記遊技機情報予測手段は、前記実績遊技機情報データベースに記憶されている実績遊技機情報に基づいて、各遊技機あるいは各グループ単位の前記将来営業日における予測アウト玉情報あるいは予測売上情報の少なくとも一方を算出し、
前記遊技機評価情報算出手段は、前記遊技機情報予測手段により算出された、各遊技機あるいは各グループ単位の前記将来営業日における予測アウト玉情報あるいは予測売上情報の少なくとも一方を用いて、各遊技機あるいは各グループ単位のアウト玉あるいは売上の少なくとも一方に関する予測遊技機評価情報を算出する、
ことを特徴とする遊技機評価支援装置。
【請求項１２】
請求項１〜１１のいずれかに記載の遊技機評価支援装置であって、
前記管理装置は、ユーザ端末装置から送信される変更指示情報を受信可能に構成されており、
前記遊技機情報予測手段は、前記予測可変遊技機情報を算出するために用いる情報のうち、前記受信した変更指示情報で示される情報を、当該変更指示情報で示される状態に変更し、変更した情報に基づいて変更予測可変遊技機情報を算出し、
前記遊技機評価情報算出手段は、前記遊技機情報予測手段で算出された変更予測可変遊技機情報を用い、前記遊技機評価情報算出式により変更予測遊技機評価情報を算出する、
ことを特徴とする遊技機評価支援装置。
【請求項１３】
請求項６〜１２のいずれかに記載の遊技機評価支援装置であって、
前記管理装置は、ユーザ端末装置から送信される変更指示情報を受信可能に構成されており、
前記遊技機評価情報算出手段は、前記実績遊技機評価情報を算出するために用いる情報のうち、前記受信した変更指示情報で示される情報を、当該変更指示情報で示される状態に変更し、変更した情報を用い、前記遊技機評価情報算出式により変更実績遊技機評価情報を算出する、
ことを特徴とする遊技機評価支援装置。
【発明の詳細な説明】
【技術分野】
【０００１】
本発明は、遊技機の評価作業を支援する遊技機評価支援装置に関する。
【背景技術】
【０００２】
パチンコ店等の遊技店では、遊技店の経営状態を予測分析するために、各遊技機の遊技機情報を予測している。例えば、店舗に配設されている各パチンコ機の売上（パチンコ機に併設されている玉貸し機からパチンコ玉を貸し出した金額）、アウト玉数（パチンコ機に投入されたパチンコ球の数）、セーフ玉数（パチンコ機から払い出されたパチンコ玉の数）、単位時間当たりの始動数（大当たり遊技状態を発生させるか否かの抽選を行った回数）、大当たり発生回数（大当たり遊技状態が発生した回数）等の遊技機情報を収集し、収集した遊技機情報に基づいて、各遊技機の将来の売上情報、アウト玉数、セーフ玉数、大当たり発生回数等の遊技機情報を予測している。（特許文献１参照）
【特許文献１】特開平９−２８５６２０号公報
【発明の開示】
【発明が解決しようとする課題】
【０００３】
ところで、遊技店では、各遊技機や各機種を評価することがある。例えば、新しい機種を導入する際、どの機種と入れ替えるかを決定するために各機種を評価する。また、どの遊技機の稼働率が低いかを判別するために各遊技機を評価する。
このような各遊技機や各機種を評価する際、各遊技機や各機種の過去の遊技機情報ではなく、各遊技機や機種の将来の遊技機情報に基づいて評価するのが好ましい。
ここで、各遊技機や各機種の将来の遊技機情報は、前記した従来の予測技術を用いることによって予測することができる。
しかしながら、各遊技機や各機種の予測遊技機情報により各遊技機や各機種を評価する場合、各遊技機や各機種を相対的に評価するのが困難である。
本発明は、このような点に鑑みて創案されたものであり、各遊技機や各機種の将来の遊技機情報に基づく相対的な評価を容易に行うことができる遊技機評価支援装置を提供することを目的とする。
【課題を解決するための手段】
【０００４】
（第１発明）
前記課題を解決するための本発明の第１発明は、請求項１に記載されたとおりの遊技機評価支援装置である。
本発明は、遊技機に対応して設けられた遊技機端末装置と、管理装置と、記憶装置を備えている。
記憶装置は、第１の期間内の各営業日における実績可変遊技機情報と実績固定遊技機情報とを含む実績遊技機情報を記憶する実績遊技機情報データベースを有している。
実績遊技機情報は、過去の営業日における遊技機情報を意味する。
第１の期間は、当日より前（当日を含む）の期間であり、例えば、昨日より過去１カ月あるいは３カ月の期間や、先月１カ月の期間等種々の期間を設定することができる。勿論、実績遊技機情報データベースには、第１の期間以外の営業日における実績遊技機情報が記憶されていてもよい。
可変遊技機情報は、遊技に応じて変化する遊技機情報を意味する。例えば、アウト玉数情報、セーフ玉数情報、始動数情報、大当たり発生回数情報、売上情報等が対応する。
固定遊技機情報は、遊技に応じて変化しない遊技機情報を意味する。例えば、遊技機の稼働率に影響する、遊技機が設置されてから各営業日までの設置日数を判別可能な設置日数情報（設置日数や設置日）、各営業日が休日であるか否かを示す休日情報、各営業日にイベントが行われたか否かを示すイベント情報等が用いられる。なお、各遊技機を示す遊技機識別情報（通常、台番号が用いられる）や各遊技機のグループを示すグループ識別情報（例えば、機種を示す機種識別情報、設置されているフロアを示すフロア識別情報、設置されている島を示す島識別情報）も固定遊技機情報に含まれる。
遊技機は、遊技に応じて変化する可変遊技機情報を遊技機端末装置に送信する。そして、遊技機端末装置は、遊技機から送信された可変遊技機情報を受信すると、受信した可変遊技機情報を含む遊技機情報を管理装置に送信する。この時、遊技機情報の送信方法として、管理装置が、遊技機情報に含まれている可変遊技機情報を送信した遊技機を判別可能な方法を用いる。例えば、遊技機端末装置から、可変遊技機情報と、当該可変遊技機情報を送信した遊技機を示す遊技機識別情報を含む遊技機情報を送信する方法を用いる。なお、管理装置が、遊技機情報の受信タイミング等によって、遊技機情報に含まれている可変遊技機情報を送信した遊技機を判別することができる場合には、可変遊技機情報のみを含む遊技機情報を遊技機端末装置から送信する方法を用いることができる。この構成により、遊技に応じて変化する可変遊技機情報が遊技機から管理装置に送信される。
管理装置は、遊技機情報収集手段と、遊技機情報予測手段と、遊技機評価情報算出手段を有している。
遊技機情報収集手段は、遊技機端末装置から送信された遊技機情報を受信すると、受信した遊技機情報に含まれている可変遊技機情報に基づいて、実績遊技機情報データベースに記憶されている、当該可変遊技機情報を送信した遊技機の、当該営業日における実績可変遊技機情報を更新する。
当該営業日における実績可変遊技機情報を更新する方法としては、当該営業日における各遊技機の実績可変遊技機情報の累積値を判別可能であれば適宜の方法を用いることができる。例えば、受信した遊技機情報を、当該営業日に対応して記憶されている実績可変遊技機情報に累積し、累積値を新しい実績可変遊技機情報として記憶する方法や、受信した遊技機情報を、当該営業日に対応させて順次記憶する方法を用いることができる。
遊技機情報予測手段は、実績遊技機情報データベースに記憶されている各遊技機の各営業日における実績遊技機情報に基づいて、各遊技機の将来営業日における予測可変遊技機情報を算出する。
予測可変遊技機情報としては、将来営業日において各遊技機を評価するための可変遊技機情報が用いられる。各遊技機の将来営業日における予測可変遊技機情報は、将来営業日における、各遊技機の可変遊技機情報の累積値を意味する。
各遊技機の各営業日における実績遊技機情報に基づいて各遊技機の将来営業日における予測可変遊技機情報を算出する方法としては、重回帰分析方法等の種々の方法を用いることができる。
遊技機評価情報算出手段は、遊技機情報予測手段により算出された各遊技機の将来営業日における予測可変遊技機情報を用いて、遊技機評価情報算出式により各遊技機の予測遊技機評価情報を算出する。
各遊技機の予測遊技機評価情報としては、将来営業日における各遊技機の相対的な評価を行うことができる評価情報が用いられる。
遊技機評価情報算出式は、評価内容に応じて適宜選択される。また、予め定められている遊技機評価情報算出式を用いることもできるし、ユーザが設定した遊技機評価情報算出式を用いることもできる。
（第２発明）
本発明の第２発明は、請求項２に記載されたとおりの遊技機評価支援装置である。
本発明は、遊技機に対応して設けられた遊技機端末装置と、管理装置と、記憶装置を備えている。
記憶装置は、第１の期間内の各営業日における、遊技に応じて変化する各遊技機の実績可変遊技機情報と、各遊技機のグループを示すグループ識別情報を含む遊技に応じて変化しない実績固定遊技機情報とを含む実績遊技機情報を記憶する実績遊技機情報データベースを有している。
グループ識別情報としては、遊技機が属するグループを示す識別情報、例えば、機種を示す機種識別情報（機種名や機種コード等）、設置されているフロアを示すフロア識別情報、設置されている島を示す島識別情報等を用いることができる。グループ識別情報を実績遊技機情報データベースに記憶する方法は、各遊技機と各グループとの対応関係が判別可能であれば種々の方法を用いることができる。例えば、各遊技機識別情報に対応させてグループ識別情報を記憶させる方法や、各グループ識別情報に対応させて遊技機識別情報を記憶させる方法を用いることができる。
遊技機は、遊技に応じて変化する可変遊技機情報を遊技機端末装置に送信する。そして、遊技機端末装置は、遊技機から送信された可変遊技機情報を受信すると、受信した可変遊技機情報を含む遊技機情報を管理装置に送信する。
管理装置は、遊技機情報収集手段と、遊技機情報予測手段と、遊技機評価情報算出手段を有している。
遊技機情報収集手段は、遊技機端末装置から送信された遊技機情報を受信すると、受信した遊技機情報に含まれている可変遊技機情報に基づいて、実績遊技機情報データベースに記憶されている、当該可変遊技機情報を送信した遊技機の、当該営業日における実績可変遊技機情報を更新する。
遊技機情報予測手段は、実績遊技機情報データベースに記憶されている各遊技機の各営業日における実績遊技機情報に基づいて、各遊技機の将来営業日における予測可変遊技機情報を算出する。
遊技機評価情報算出手段は、遊技機情報予測手段により算出された各遊技機の将来営業日における予測可変遊技機情報をグループ単位に集計する。そして、集計した各グループ単位の将来営業日における予測可変遊技機情報を用いて、遊技機評価情報算出式により各グループ単位の予測遊技機評価情報を算出する。
各グループ単位の予測遊技機評価情報としては、将来営業日における各グループの相対的な評価を行うことができる評価情報が用いられる。
（第３発明）
本発明の第３発明は、請求項３に記載されたとおりの遊技機評価支援装置である。
本発明は、遊技機に対応して設けられた遊技機端末装置と、管理装置と、記憶装置を備えている。
記憶装置は、第１の期間内の各営業日における、遊技に応じて変化する各遊技機の実績可変遊技機情報と、各遊技機のグループを示すグループ識別情報を含む遊技に応じて変化しない実績固定遊技機情報とを含む実績遊技機情報を記憶する実績遊技機情報データベースを有している。
遊技機は、遊技に応じて変化する可変遊技機情報を遊技機端末装置に送信する。そして、遊技機端末装置は、遊技機から送信された可変遊技機情報を受信すると、受信した可変遊技機情報を含む遊技機情報を管理装置に送信する。
管理装置は、遊技機情報収集手段と、遊技機情報予測手段と、遊技機評価情報算出手段を有している。
遊技機情報収集手段は、遊技機端末装置から送信された遊技機情報を受信すると、受信した遊技機情報に含まれている可変遊技機情報に基づいて、実績遊技機情報データベースに記憶されている、当該可変遊技機情報を送信した遊技機の、当該営業日における実績可変遊技機情報を更新する。
遊技機情報予測手段は、実績遊技機情報データベースに記憶されている各遊技機の各営業日における実績遊技機情報をグループ単位に集計し、集計した各グループ単位の各営業日における実績遊技機情報に基づいて、各グループ単位の将来営業日における予測可変遊技機情報を算出する。
遊技機評価情報算出手段は、遊技機情報予測手段により算出された各グループ単位の将来営業日における予測可変遊技機情報を用いて、遊技機評価情報算出式により各グループ単位の予測遊技機評価情報を算出する。
なお、受信した各遊技機の可変遊技機情報を、各グループ単位に集計して各グループ単位の実績遊技機情報を実績遊技機情報データベースに記憶させる構成は、本発明の、遊技機情報収集手段による各遊技機の実績可変遊技機情報の更新処理と、遊技機評価情報算出手段による各グループ単位での実績可変遊技機情報の集計処理を実行する構成に該当する。
（第４発明）
本発明の第４発明は、請求項４に記載されたとおりの遊技機評価支援装置である。
本発明は、遊技機に対応して設けられた遊技機端末装置と、管理装置と、記憶装置を備えている。
記憶装置は、第１の期間内の各営業日における、遊技に応じて変化する各遊技機の実績可変遊技機情報と、各遊技機のグループを示すグループ識別情報を含む遊技に応じて変化しない実績固定遊技機情報とを含む実績遊技機情報を記憶する。
遊技機は、遊技に応じて変化する可変遊技機情報を遊技機端末装置に送信する。そして、遊技機端末装置は、遊技機から送信された可変遊技機情報を受信すると、受信した可変遊技機情報を含む遊技機情報を管理装置に送信する。
管理装置は、遊技機情報収集手段と、遊技機情報予測手段と、遊技機評価情報算出手段を有している。
遊技機情報収集手段は、遊技機端末装置から送信された遊技機情報を受信すると、受信した遊技機情報に含まれている可変遊技機情報に基づいて、実績遊技機情報データベースに記憶されている、当該可変遊技機情報を送信した遊技機の、当該営業日における実績可変遊技機情報を更新する。
遊技機情報予測手段は、実績遊技機情報データベースに記憶されている各遊技機の各営業日における実績遊技機情報に基づいて、各遊技機の将来営業日における予測可変遊技機情報を算出し、また、実績遊技機情報データベースに記憶されている各遊技機の各営業日における実績遊技機情報をグループ単位に集計し、集計したグループ単位の各営業日における実績遊技機情報に基づいて、各グループ単位の将来営業日における予測可変遊技機情報を算出する。
遊技機評価情報算出手段は、遊技機情報予測手段により算出された、各遊技機の将来営業日における予測可変遊技機情報と各グループ単位の将来営業日における予測可変遊技機情報を用いて、遊技機評価情報算出式により各遊技機の予測遊技機評価情報を算出する。
本発明では、「各遊技機の予測可変遊技機情報」と「グループ単位の予測可変遊技機情報」として、異なる予測可変遊技機情報を用いるのが好ましい。例えば、各遊技機の予測遊技機評価情報を複数の予測可変遊技機情報を用いて算出する場合、遊技機単位の実績のばらつきが大きい可変遊技機情報（例えば、大当たり確率情報）に関する予測可変遊技機情報については、グループ単位の予測可変遊技機情報を用いるのが好ましい。グループ単位の予測可変遊技情報は、遊技機が属するグループの予測可変遊技機情報を用いる。
（第５発明）
本発明の第５発明は、請求項５に記載されたとおりの遊技機評価支援装置である。
本発明は、遊技機に対応して設けられた遊技機端末装置と、管理装置と、記憶装置を備えている
記憶装置は、第１の期間内の各営業日における、遊技に応じて変化する各遊技機の実績可変遊技機情報と、各遊技機のグループを示すグループ識別情報を含む遊技に応じて変化しない実績固定遊技機情報とを含む実績遊技機情報を記憶する実績遊技機情報データベースを有している。
遊技機は、遊技に応じて変化する可変遊技機情報を遊技機端末装置に送信する。そして、遊技機端末装置は、遊技機から送信された可変遊技機情報を受信すると、受信した可変遊技機情報を含む遊技機情報を管理装置に送信する。
管理装置は、遊技機情報収集手段と、遊技機情報予測手段と、遊技機評価情報算出手段を有している。
遊技機情報収集手段は、遊技機端末装置から送信された遊技機情報を受信すると、受信した遊技機情報に含まれている可変遊技機情報に基づいて、実績遊技機情報データベースに記憶されている、当該可変遊技機情報を送信した遊技機の、当該営業日における実績可変遊技機情報を更新する。
遊技機情報予測手段は、実績遊技機情報データベースに記憶されている各遊技機の各営業日における実績遊技機情報に基づいて、各遊技機の将来営業日における予測可変遊技機情報を算出する。
遊技機評価情報算出手段は、遊技機情報予測手段により算出された、各遊技機の将来営業日における予測可変遊技機情報をグループ単位に集計し、遊技機情報予測手段により算出された各遊技機の将来営業日における予測可変遊技機情報と集計した各グループ単位の将来営業日における予測可変遊技機情報を用いて、遊技機評価情報算出式により各遊技機の予測遊技機評価情報を算出する。
本発明では、「各遊技機の予測可変遊技機情報」と「グループ単位の予測可変遊技機情報」として、異なる予測可変遊技機情報を用いるのが好ましい。
(第６発明)
本発明の第６発明は、請求項６に記載されたとおりの遊技機評価支援装置である。
本発明では、管理装置は、ユーザ端末装置から送信される遊技機評価情報算出式を受信可能に構成されている。
そして、遊技機評価情報算出手段は、受信した遊技機評価情報算出式を用いて遊技機評価情報を算出する。この時、受信した遊技機評価情報算出式中の可変遊技機情報が実績遊技機情報データベースに記憶されている場合には、実績遊技機情報データベースに記憶されている各遊技機の各営業日における実績可変遊技機情報を用いて各遊技機あるいは各グループ単位の実績遊技機評価情報を算出する。一方、受信した遊技機評価情報算出式中の可変遊技機情報が実績遊技機情報データベースに記憶されていない場合には、遊技機情報予測手段により各遊技機あるいは各グループ単位の将来営業日における予測可変遊技機情報を算出し、算出した各遊技機あるいは各グループ単位の将来営業日における予測可変遊技機情報を用いて各遊技機あるいは各グループ単位の予測遊技機評価情報を算出する。
ここで、受信した遊技機評価情報算出式中の全ての可変遊技機情報が実績遊技機情報データベースに記憶されている場合に実績遊技機評価情報を算出し、受信した遊技機評価情報算出式中のいずれかの可変遊技機情報が実績遊技機情報データベースに記憶されていない場合に予測遊技機評価情報を算出するように構成するのが好ましい。
ユーザ端末装置は、本発明で算出される情報（例えば、予測遊技機評価情報、実績遊技機評価情報、予測遊技機情報）の提供を希望するユーザが使用する端末装置を意味する。
本発明では、ユーザ端末装置からの要求に応答して、管理装置からユーザ端末装置に、遊技機評価情報算出式を入力する入力画面情報を送信可能に構成するのが好ましい。
なお、遊技機評価情報算出式は、ユーザが遊技機評価情報の送信を要求する時にユーザが設定可能に構成してもよいし、予めユーザに対応させて記憶可能に構成してもよい。
（第７発明）
本発明の第７発明は、請求項７に記載されたとおりの遊技機評価支援装置である。
本発明では、実績固定遊技機情報には、各営業日が休日であったか否かを判別可能な休日情報、各遊技機が設置されてから各営業日までの設置日数を判別可能な設置日数情報、各営業日にイベントが行われたか否かを判別可能なイベント情報の少なくとも一の実績固定遊技機情報が含まれている。
そして、遊技情報予測手段は、遊技機情報データベースに記憶されている実績遊技機情報と、将来営業日が休日であるか否かを判別可能な休日情報、各遊技機が設置されてから将来営業日までの設置日数を判別可能な設置日数情報、将来営業日にイベントが行われるか否かを判別可能なイベント情報の少なくとも一つの情報に基づいて、各遊技機あるいは各グループ単位の予測可変遊技機情報を算出する。
各営業日が休日であったか否かを判別可能な休日情報や各営業日にイベントが行われたか否かを判別可能なイベント情報としては、典型的には、休日であったか否かを示す休日フラグ情報やイベントが行われたか否かを示すイベントフラグ情報が用いられる。
各遊技機が設置されてから各営業日までの設置日数を判別可能な設置日数情報としては、設置日数を用いてもよいし、設置日を用いてもよい。設置日を用いる場合には、必要な都度、設置日数を算出する。
（第８発明）
本発明の第８発明は、請求項８に記載されたとおりの遊技機評価支援装置である。
本発明では、遊技機情報予測手段は、遊技機情報データベースに記憶されている実績遊技機情報と、将来の第２の期間内の各営業日が休日であるか否かを別可能な休日情報、各遊技機が設置されてから将来の第２の期間内の各営業日までの設置日数を判別可能な設置日数情報、将来の第２の期間内の各営業日にイベントが行われるか否かを判別可能なイベント情報の少なくとも一つの情報に基づいて、各遊技機あるいは各グループ単位の予測可変遊技機情報を算出する。
そして、遊技機評価情報算出手段は、遊技機情報予測手段により算出された各遊技機あるいは各グループ単位の将来の第２の期間内の各営業日における予測可変遊技機情報を用いて、各遊技機あるいは各グループ単位の将来の第２の期間内の各営業日における予測遊技機評価情報を算出する。
第２の期間は、１週間や１カ月等種々の期間を設定することができるが、遊技機間あるいはグループ間の相対的な評価を確実に行うことができる期間を設定するのが好ましい。
（第９発明）
本発明の第９発明は、請求項９に記載されたとおりの遊技機評価支援装置である。
本発明では、遊技機情報予測手段は、遊技機情報データベースに記憶されている実績遊技機情報に基づき、重回帰分析方法を用いて各遊技機あるいは各グループ単位の予測可変遊技機情報を算出するための予測可変遊技機情報算出式を求め、求めた予測可変遊技機情報算出式を用いて各遊技機あるいは各グループ単位の予測可変遊技機情報を算出する。
重回帰分析方法では、目的変量である予測可変遊技機情報を、説明変量を用いて算出するための予測可変遊技機情報算出式の係数（例えば、アウト玉数情報を休日情報、設置日数情報、イベント情報により算出する場合には、休日情報、設置日数情報、設置日数情報、イベント情報の係数）が算出される。
（第１０発明）
本発明の第１０発明は、請求項１０に記載されたとおりの遊技機評価支援装置である。
本発明では、遊技機評価情報算出手段は、遊技機情報予測手段により算出された各遊技機あるいは各グループ単位の予測可変遊技機情報の相対値を予測遊技機評価情報として算出する。
予測可変遊技機情報の相対値は、例えば、予測可変遊技機情報の平均値と各予測可変遊技機情報との比で表される。
（第１１発明）
本発明の第１１発明は、請求項１１に記載されたとおりの遊技機評価支援装置である。
本発明では、実績遊技機情報データベースには各遊技機の各営業日におけるアウト玉情報あるいは売上情報の少なくとも一方が含まれている。
また、遊技機は、アウト玉情報あるいは売上情報の少なくとも一方を可変遊技機情報として遊技機端末装置に送信する。そして、遊技機端末装置は、遊技機から送信されたアウト玉情報あるいは売上情報の少なくとも一方を含む遊技機情報を管理装置に送信する。
また、遊技機情報収集手段は、遊技機端末装置から送信された遊技機情報に含まれているアウト玉情報あるいは売上情報に基づいて、当該アウト玉情報あるいは売上情報を送信した遊技機の、当該営業日におけるアウト玉情報あるいは売上情報を更新する。
また、遊技機情報予測手段は、実績遊技機情報に基づいて、各遊技機あるいは各グループ単位の将来営業日における予測アウト玉情報あるいは予測売上情報の少なくとも一方を算出する。
そして、遊技機評価情報算出手段は、遊技機情報予測手段により算出された、各遊技機あるいは各グループ単位の将来営業日における予測アウト玉情報あるいは予測売上情報の少なくとも一方を用いて、各遊技機あるいは各グループ単位のアウト玉あるいは売上の少なくとも一方に関する予測遊技機評価情報を算出する。
（第１２発明）
本発明の第１２発明は、請求項１２に記載されたとおりの遊技機評価支援装置である。
本発明では、管理装置は、ユーザ端末装置から送信される変更指示情報を受信可能に構成されている。
また、遊技機情報予測手段は、予測可変遊技機予測情報を算出するために用いる情報のうち、ユーザ端末装置から送信された変更指示情報で示される情報を、当該変更指示情報で示される状態に変更し、変更した情報に基づいて変更予測可変遊技機情報を算出する。
そして、遊技機評価情報算出手段は、遊技機情報予測手段で算出された変更予測可変遊技機情報を用い、遊技機評価情報算出式により変更予測遊技機評価情報を算出する。
変更予測可変遊技機情報は、変更指示情報により変更した情報を用いて算出した予測可変遊技機情報を意味する。
変更予測遊技機評価情報は、変更予測可変遊技機情報を用いて算出した予測遊技機評価情報を意味する。
予測可変遊技機情報を算出するために用いる情報には、例えば、実績遊技機情報や将来営業日の休日情報、設置日数情報、イベント情報等が含まれる。
遊技機評価情報算出式は、予測遊技機評価情報を算出した式を用いることができる。
（第１３発明）
本発明の第１３発明は、請求項１３に記載されたとおりの遊技機評価支援装置である。
本発明では、管理装置は、ユーザ端末装置から送信される変更指示情報を受信可能に構成されている。
そして、遊技機評価情報算出手段は、実績遊技機評価情報を算出するために用いる情報のうち、ユーザ端末装置から送信された変更指示情報で示される情報を、当該変更指示情報で示される状態に変更し、変更した情報を用いて変更実績遊技機評価情報を算出する。
変更実績遊技機評価情報は、変更指示情報により変更した情報を用いて算出した実績遊技機評価情報を意味する。
実績遊技機情報を算出するために用いる情報には、例えば、実績遊技機情報や各営業日における休日情報、設置日数情報、イベント情報等が含まれる。
遊技機評価情報算出式は、実績遊技機評価情報を算出した式を用いることができる。
【発明の効果】
【０００５】
請求項１に記載の遊技機評価支援装置では、過去の第１の期間内の実績遊技機情報に基づいて、将来の営業日における各遊技機の予測可変遊技機情報を算出し、算出した各遊技機の予測可変遊技機情報に基づいて各遊技機の予測遊技機評価情報を算出している。これにより、将来の営業日における遊技機間の評価を容易に行うことができる。
請求項２及び請求項３に記載の遊技機評価支援装置では、実績遊技機情報に基づいて、将来の営業日における各グループの予測可変遊技機情報を算出し、算出した各グループの予測可変遊技機情報に基づいて各グループの予測遊技機評価情報を算出している。これにより、将来の営業日におけるグループ間、例えば、機種間の評価を容易に行うことができる。
請求項４及び請求項５に記載の遊技機評価支援装置を用いれば、各遊技機の予測可変遊技機情報と各グループの予測可変遊技機情報を用いて各遊技機の予測遊技機評価情報を算出するため、各遊技機間の評価をより正確に行うことができる。
請求項６に記載の遊技機評価支援装置を用いれば、
請求項７に記載の遊技機評価支援装置を用いれば、遊技機評価情報算出式をユーザが設定することができるため、ユーザは、種々の観点から遊技機間あるいはグループ間の評価を行うことができる。また、ユーザが設定した遊技機評価情報算出式中の可変遊技機情報が実績遊技機情報データベースに記憶されている場合には実績遊技機評価情報が算出され、ユーザが設定した遊技機評価情報算出式中の可変遊技機情報が実績遊技機情報データベースに記憶されていない場合には予測実績遊技機評価情報が算出されるため、ユーザは可変遊技機情報が実績遊技機情報データベースに記憶されているか否かを気にすることなく自由に遊技機評価情報算出式を設定することができる。
請求項７に記載の遊技機評価支援装置を用いれば、遊技機の稼働率に大きく影響する休日情報、設置日数情報、イベント情報の少なくとも１つを用いて各遊技機あるいは各グループ単位の予測遊技機評価情報を算出しているため、遊技機間あるいはグループ間の稼働率の評価を精度よく行うことができる。
請求項８に記載の遊技機評価支援装置を用いれば、将来の第２の期間内の各営業日における各遊技機あるいは各グループの予測遊技機評価情報を算出しているため、将来の第２の期間内における遊技機間あるいはグループ間の評価をより確実に行うことができる。
請求項９に記載の遊技機評価支援装置を用いれば、重回帰分析方法を用いて各遊技機あるいは各グループ単位の予測可変遊技機情報を算出しているため、各遊技機あるいは各機種の予測可変遊技機情報を容易に算出することができる。
請求項１０に記載の遊技機評価支援装置を用いれば、各遊技機あるいは各グループの予測可変遊技機情報の相対値を予測遊技機評価情報として、また、実績可変遊技機情報の相対値を実績遊技機評価情報として用いているため、予測遊技機評価情報あるいは実績遊技機評価情報を容易に算出することができる。
請求項１１に記載の遊技機評価支援装置を用いれば、可変遊技機情報としてアウト玉情報及び売上情報の少なくとも一方を用いているため、遊技機間あるいはグループ間の稼働率の評価を正確に行うことができる。
請求項１２に記載の遊技機評価支援装置を用いれば、予測可変遊技機情報を算出するために用いる情報の少なくとも１つを変更した時の変更予測可変遊技機情報を算出し、変更予測可変遊技機情報を用いて変更予測遊技機評価情報を算出することができるため、イベントによる効果等を確認することができる。
請求項１３に記載の遊技機評価支援装置を用いれば、実績遊技機評価を算出するために用いる情報の少なくとも１つを変更した時の変更実績遊技機評価情報を算出することができるため、イベントを行わなかった時の可変遊技機情報等を確認することができる。
【発明を実施するための最良の形態】
【０００６】
以下に、本発明の実施の形態を、図面を参照して説明する。
本発明の一実施の形態の概略構成を図１に示す。本実施の形態は、パチンコ機を評価するように構成したものである。本実施の形態は、遊技機（遊技機）１１１、１１２、１２１（以下では、便宜上「遊技機１１１」という）、管理装置１０、記憶装置１１等を備えている。
通常、パチンコ店には複数の島が設けられており、各島に複数台のパチンコ機１１１が配設されている。各島には、管理装置１０とＬＡＮ等の通信回線Ｌを介して接続されている島ユニット１００、２００（以下では、便宜上「島ユニット１００」という）が設けられている。
各島ユニット１００には、複数台の台ユニット１１０、１２０、２１０（以下では、便宜上「台ユニット１１０」という）が接続されている。
さらに、各台ユニット１１０には、複数台（例えば、３台）のパチンコ機１１１が接続されている。なお、各パチンコ機を識別するために、各パチンコ機に台番号が設定されている。
この台番号は、本発明の「遊技機識別情報」に対応する。
【０００７】
遊技機１１１は、遊技に応じて変化する種々の可変遊技機情報を台ユニット１１０に送信する。
例えば、発射ハンドルの操作によって遊技盤に発射された遊技玉（アウト玉）を検出するアウト玉検出装置から出力されるアウト玉情報を送信する。通常、アウト玉検出装置は、遊技玉が１個遊技盤に発射される毎に１個のアウト玉パルス信号をアウト玉情報として出力する。
また、賞球装置から払い出される遊技玉（セーフ玉）を検出するセーフ玉検出装置から出力されるセーフ玉情報を送信する。通常、セーフ玉検出装置は、１０個の遊技玉が払い出される毎に１個のセーフ玉パルス信号をセーフ玉情報として送信する。
また、始動口に遊技玉が入賞したことに起因して行った抽選結果を表示するために表示装置に図柄を変動表示する場合に、１個の始動パルス信号を始動数情報として送信する。
また、始動口に遊技玉が入賞したことに起因して行った抽選の結果が当たりであり、大当たり遊技を実行する場合に、大当たり遊技状態信号をＨレベルとする。
また、パチンコ機１１１に併設されている玉貸し機から遊技球を貸し出した場合に、所定金額（例えば、百円）の遊技玉を貸し出す毎に１個の貸し出しパルス信号を玉貸し出し情報として送信する。この玉貸し出し情報は、売上情報に対応する。なお、玉貸し出し情報を台ユニット１１０に送信する方法としては、玉貸し出し機から台ユニット１１０に送信する方法と、遊技機１１１を介して台ユニット１１０に送信する方法を用いることができる。本実施の形態では、いずれの方法を用いる場合でも、遊技機１１１から台ユニットに玉貸し出し情報を送信する概念に含まれる。
【０００８】
台ユニット１１０は、パチンコ機１１１から送信された可変遊技機情報を受信すると、受信した可変遊技機情報を含む遊技機情報を島ユニット１００に送信する。
例えば、可変遊技機情報と、当該可変遊技機情報を送信したパチンコ機１１１を示す台番号（遊技機識別情報）を含む遊技機情報を島ユニット１００に送信する。
通常、台ユニット１１０は、複数の入力端子を有しているとともに、各パチンコ機１１１の各可変遊技機情報を受信する入力端子が定められている。これにより、台ユニット１１０は、可変遊技機情報を受信した入力端子に基づいて、受信した可変遊技機情報の種類、当該可変遊技機情報を送信したパチンコ機１１１の台番号を判別することができる。
なお、台ユニット１１０とパチンコ機１１１が１対１に対応している場合には、台ユニット１１０は、パチンコ機１１１から受信した可変遊技機情報と台ユニット１１０の番号（台ユニット識別情報）を含む遊技機情報を送信する方法を用いることもできる。
また、島ユニット１００や管理装置１０が、台ユニット１１０から送信される遊技機情報の受信タイミングや入力端子等によって、遊技機情報に含まれている可変遊技機情報を送信したパチンコ機１１１を判別可能である場合には、台ユニット１１０は、可変遊技機情報のみを含む遊技機情報を送信する方法を用いることもできる。
また、台ユニット１１０は、受信した可変遊技機情報を島ユニット１００に送信する方法として種々の方法を用いることができる。例えば、アウト玉情報やセーフ玉情報に関しては、受信したアウト玉パルス信号やセーフ玉パルス信号の数を累積し、累積値が設定値（例えば、１０）に達した時に、アウト玉情報やセーフ玉情報を島ユニット１００に送信する方法を用いることができる。
なお、島ユニット１００が、予め定められた時期あるいは時間間隔で台ユニット１１０から遊技機情報を収集する方法を用いることもできる。
また、大当たり遊技状態発生情報に関しては、大当たり遊技状態信号がＨレベルになると、大当たり遊技状態が発生したことを示す大当たり遊技状態発生情報を島ユニット１００に送信する。
また、玉貸し出し情報に関しては、受信した貸し出しパルス信号の数を累積し、累積値が設定数（例えば、１０）に達した時に、玉貸し出し情報を島ユニット１００に送信する。
島ユニット１００は、台ユニット１１０から送信された遊技機情報（本実施の形態では、可変遊技機情報と台番号を含む遊技機情報）を受信すると、受信した遊技機情報を通信回線Ｌを介して管理装置１０に送信する。すなわち、島ユニット１００は、中継装置として作動する。
【０００９】
本実施の形態では、台ユニット１１０が本発明の「遊技機端末装置」に対応する。
また、遊技機１１１から台ユニット１１０に送信されるアウト玉パルス信号、セーフ玉パルス信号、玉貸し出しパルス信号、Ｈレベルの大当たり遊技状態発生信号等の遊技機情報が、本発明の「遊技機から遊技機端末装置に送信される可変遊技機情報」に対応し、台ユニット１１０から島ユニット１００を介して管理装置１０に送信される遊技機情報が、本発明の「遊技機端末装置から管理装置に送信される遊技機情報」に対応する。
【００１０】
管理装置１０は、遊技機情報収集手段１０ａ、遊技機情報予測手段１０ｂ、遊技機評価情報算出手段１０ｃを有している。遊技機情報収集手段１０ａ、遊技機情報予測手段１０ｂ、遊技機評価情報算出手段１０ｃは、ハードウェアで構成することもできるし、ソフトウェアで構成することもできる。
遊技機情報収集手段１０ａは、台ユニット１１０から島ユニット１００を介して送信された、遊技に応じて変化する遊技機情報と台番号を含む遊技機情報を受信し、受信した遊技機情報に基づいて、記憶装置１１の実績遊技機情報データベース１１ａに、受信した台番号に対応させて記憶されている実績可変遊技機情報を更新する処理を実行する。
遊技機情報予測手段１０ｂは、記憶装置１１の実績遊技機情報データベース１１ａに記憶されている実績遊技機情報に基づいて予測遊技機情報を算出する処理、算出した予測遊技機情報を予測遊技機情報データベース１１ｂに記憶する処理を実行する。
遊技機評価情報算出手段１０ｃは、遊技機情報予測手段１０ｂにより算出された予測遊技機情報（あるいは、予測遊技機情報データベース１１ｂに記憶されている予測遊技機情報）に基づいて予測遊技機評価情報を算出する処理、算出した予測遊技機評価情報を予測遊技機評価情報データベース１１ｃに記憶する処理を実行する。また、実績遊技機情報データベース１１ａに記憶されている実績遊技機情報に基づいて実績遊技機評価情報を算出する処理、算出した実績遊技機評価情報を実績遊技機評価情報データベース１１ｄに記憶する処理を実行する。
【００１１】
管理装置１０には、記憶装置１１、キーボード等の入力装置１２、液晶表示装置等の表示装置１３、印刷装置（図示省略）等が、データの送受信が可能に接続されている。
また、管理装置１０は、情報受信端末装置と通信可能に構成されていてもよい。この場合、管理装置１０は、情報受信端末装置からの送信要求により、実績遊技機情報データベース１１ａに記憶されている実績遊技機情報、遊技機情報予測手段１０ｂにより算出された予測遊技機情報、遊技機評価情報算出手段１０ｃにより算出された予測遊技機評価情報や実績遊技機評価情報を情報受信端末装置に送信可能に構成する。
【００１２】
記憶装置１１には、実績遊技機情報データベース１１ａ、予測遊技機情報データベース１１ｂ、予測遊技機評価情報データベース１１ｃ、実績遊技機評価情報データベース１１ｄが設けられている。
実績遊技機評価情報データベース１１ａには、パチンコ店に配設されている各遊技機１１１の実績遊技機情報が記憶される。
実績遊技機情報データベース１１ａの１例を図２に示す。図２に示す実績遊技機情報データベース１１ａは、営業日１月１日〜１月３１日における各遊技機の実績遊技機情報を示している。各遊技機の実績遊技機情報には、遊技者が遊技を行うことに応じて変化する遊技機情報（実績可変遊技機情報）と遊技者の遊技に関係ない遊技機情報（実績固定遊技機情報）が含まれている。
図２に示す実績遊技機情報データベースでは、各遊技機の実績固定遊技機情報として、営業日の月日を示す営業日情報（ａ１）、当該営業日の曜日を示す曜日情報（ａ２）、当該営業日にイベント（例えば、新台入れ替え、ポイントアップサービス、景品サービス等の集客率を高めるためのイベント）が行われたか否かを示すイベント情報（ａ３）、当該営業日が、土曜日、日曜日、祝祭日等の多くの遊技者の休日であるか否かを示す休日情報（ａ４）、各パチンコ機の台番号を示す台番号情報（遊技機識別情報）（ａ５）、当該パチンコ機がパチンコ店に設置されてから当該営業日までの設置日数を示す設置日数情報(ａ６)、当該パチンコ機の機種を示す機種識別情報（ａ７）が用いられている。
機種識別情報としては、機種名や機種コードが用いられる。
また、設置日数情報としては、各パチンコ機がパチンコ店に設置されてから各営業日までの設置日数が判別可能であればよく、設置日数を記憶させてもよいし、設置日を記憶させてもよい。設置日を記憶させる場合には、必要な都度、設置日から営業日までの期間を算出することによって設置日数を判別する。
また、各遊技機の実績可変遊技機情報として、各営業日における、各遊技機のアウト玉数を示すアウト玉数情報（ａ８）、各遊技機のセーフ玉数を示すセーフセーフ玉数情報（ａ９）、始動した回数を示す始動数情報（ａ１０）、大当たりが発生した回数を示す大当たり回数情報（ａ１１）が用いられている。
アウト玉数情報やセーフ玉数情報を記憶する方法としては、各営業日における各遊技機のアウト玉の累積値やセーフ玉の累積値を判別可能な方法が用いられる。例えば、台ユニット１１０から送信されたアウト玉情報やセーフ玉情報を受信する毎に、アウト玉数やセーフ玉数の累積値を算出し、累積値を更新して記憶する方法や、台ユニット１１０から送信されたアウト玉情報やセーフ玉情報を順次受信し、必要な時に累積値を算出する方法を用いることができる。
また、実績遊技機情報データベースは、複数のデータベースにより構成することもできる。例えば、実績固定遊技機情報を記憶するデータベースと、実績可変遊技機情報を記憶するデータベースにより構成することもできる。
また、図２に示す実績遊技機情報データベースでは、各遊技機の遊技機識別情報（台番号）に対応させてグループ識別情報を記憶させたが、実績遊技機情報データベースに各遊技機のグループ識別情報を記憶させる方法としては、各遊技機と各グループとの対応関係が判別可能であればよい。例えば、各グループ識別情報に対応させて、当該グルー識別情報で示されるグループに属する遊技機識別情報を記憶させる方法を用いることもできる。
【００１３】
本実施の形態では、各機種の予測遊技機評価情報と遊技機評価情報を、表示装置１３や印刷装置あるいは情報受信端末装置（ユーザ端末装置）に送信可能（ユーザ端末装置が管理装置に接続可能）に構成している。そこで、図２に示す実績遊技機情報データベースに記憶されている各遊技機の実績可変遊技機情報を用いて、各機種の実績可変遊技機情報を算出する必要がある。各機種の実績可変遊技機情報は、必要な時に算出してもよいし、予め算出して機種毎の実績可変遊技機情報を記憶する機種毎の実績遊技機情報データベースを作成しておいてもよい。
機種毎の実績遊技機情報データベースの１例を図３に示す。
図３に示す機種毎の実績遊技機情報データベースには、営業日１月１日〜１月３１日における各機種の実績可変遊技機情報と実績固定遊技機情報を含む各機種の実績遊技機情報が記憶されている。
実績固定遊技機情報としては、前述した営業日情報、曜日情報、イベント情報、休日情報と、各機種のパチンコ機がパチンコ店に設置されてから各営業日までの設置日数を示す設置日数情報が用いられている。なお、各機種の実績固定遊技機情報は、図２に示す遊技機毎の実績遊技機情報データベースに記憶されている実績固定遊技機情報を用いることができる。
また、本実施の形態では、アウト玉数情報に基づいて予測遊技機評価情報や実績遊技機評価情報を算出するため、各機種の実績可変遊技機情報として、各営業日１月１日〜１月３１日における、各遊技機のアウト玉数の累積値を機種毎に加算したアウト玉数加算情報が用いられている。なお、アウト玉数加算情報を算出するためには、実績遊技機情報データベース１１ａには、各遊技機の実績可変遊技機情報にアウト玉数情報が含まれていればよい。
【００１４】
遊技機評価情報算出手段１０ｃにより予測遊技機評価情報を算出するためには、遊技機情報予測手段１０ｂにより、実績遊技機情報データベース１１ａに記憶されている実績遊技機報に基づいて予測遊技機情報を算出する必要がある。
本実施の形態では、各機種の予測遊技機評価情報を算出しているため、遊技機情報予測手段１０ｂは、実績遊技機情報データベース１１ａに記憶されている各遊技機の実績遊技機情報に基づいて、各機種の予測遊技機情報を算出する。各機種の予測遊技機情報は、必要な都度算出してもよいし、予め算出して予測遊技機情報データベース１１ｂに記憶させておいてもよい。
予測遊技機情報を記憶する予測遊技機情報データベース１１ｂの１例を図４に示す。
本実施の形態では、各機種の予測遊技機評価情報を算出するため、図４に示す予測遊技機情報データベース１１ｂには、各機種の予測遊技機情報が記憶されている。
各機種の予測遊技機情報には、将来の所定期間（第２の期間）内の各営業日（図４では、将来の営業日２月１日〜２月２８日）を示す営業日情報、将来の各営業日の曜日を示す曜日情報、将来の各営業日にイベントが行われる予定があるか否かを示すイベント情報、将来の各営業日が休日であるか否かを示す休日情報、各機種のパチンコ機がパチンコ店に設置されてから将来の各営業日までの設置日数を判別可能な設置日数情報を含む予測固定遊技機情報と、予測可変遊技機情報が含まれている。
また、本実施の形態では、アウト玉数に基づいて予測遊技機評価情報を算出するため、予測可変遊技機情報として、将来の各営業日における、各機種の予測アウト玉数加算情報が用いられている
なお、各機種の予測アウト玉数加算情報は、遊技機情報予測手段１０ｂにより、各遊技機の実績アウト玉数情報に基づいて各遊技機の予測アウト玉数情報を算出し、算出した各遊技機の予測アウト玉数情報を機種毎に加算して算出することもできる。
【００１５】
遊技機評価情報算出手段１０ｃは、遊技機予測手段１０ｂにより算出された予測遊技機情報に基づいて、予測遊技機評価情報を算出する。ここで、予測遊技機評価情報は、必要な都度算出してもよいし、予め算出して予測遊技機評価情報データベース１１ｃに記憶させてもおいてもよい。予測遊技機評価情報データベース１１ｃの１例を図５に示す。本実施の形態では、各機種の予測アウト玉数加算情報の相対値（予測相対値）を予測遊技機評価情報として算出している。
図５に示す予測遊技機評価情報データベースには、将来の各営業日２月１日〜２月２８日における、各機種の予測平均アウト玉数を示す予測平均アウト玉数情報と、予測平均アウト玉数情報に対する各機種の予想アウト玉数加算情報の相対値を示す相対値情報が記憶されている。
【００１６】
本実施の形態では、予測遊技機情報に基づいて算出した予測遊技機評価情報とともに、実績遊技機情報に基づいて算出した実績遊技機評価情報も送信可能に構成されている。すなわち、遊技機評価情報算出手段１０ｃは、実績遊技機情報データベース１１ａに記憶されている実績遊技機情報に基づいて、実績遊技機評価情報を算出する。実績遊技機評価情報は、必要な都度算出してもよいし、予め算出して実績遊技機評価情報データベース１１ｄに記憶させておいてもよい。
実績遊技機評価情報データベース１１ｄの１例を図６に示す。
図６に示す実績遊技機評価情報データベースには、予測遊技機評価情報データベース１１ｃと同様に、各営業日１月１日〜１月３１日における、各機種の実績平均アウト玉数を示す実績平均アウト玉数情報と、実績平均アウト玉数情報に対する各機種の実績アウト玉数加算情報の相対値（実績相対値）を実績遊技機評価情報として算出している。
【００１７】
次に、本実施の形態の動作を説明する。以下では、アウト玉に関連する、機種毎の予測遊技機評価情報及び実績遊技機評価情報を算出する場合について説明する。
遊技機１１１は、アウト玉検出装置がアウト玉を検出した時点で、アウト玉パルス信号を台ユニット１１０に送信する。
台ユニット１１０は、遊技機１１１から送信されたアウト玉パルス信号を受信すると、受信したアウト玉パルス信号を累積し、累積値が設定値（例えば、１０）となった時点で、設定値（この場合、１０）のアウト玉が発射されたことを示すアウト玉情報と遊技機１１１の台番号（例えば、［１１］）を、島ユニット１００を介して管理装置１０に送信する。
管理装置１０の遊技機情報収集手段１０ａは、台ユニット１１０から送信されたアウト玉情報と台番号［１１１］を受信すると、実績遊技機情報データベース１１ａに、受信した台番号［１１］に対応して記憶されている、当該営業日におけるアウト玉数情報を更新する。例えば、当該営業日におけるアウト玉数情報に、受信したアウト玉情報に対応する数を累積し、累積値をアウト玉数情報として記憶する。以後、台ユニット１１０から送信されたアウト玉情報を受信する毎に、遊技機情報データベース１１ａの各台番号に対応するアウト玉数情報を更新する。
なお、実績遊技機情報データベース１１ａの営業日情報、曜日情報、イベント情報、休日情報、台番号情報、設置日数情報等の実績固定遊技機情報は、適宜の時期（例えば、各営業日の営業開始時点等）に、自動的あるいは係員によって記憶される。
以上のようにして、実績遊技機情報データベース１１ａに、各営業日における各遊技機の実績遊技機情報が記憶される。
【００１８】
いま、遊技機情報収集手段１０ａにより、図２に示すように、営業日１月１日〜１月３１日における各遊技機の実績遊技機情報、すなわち、第１の期間（１月）内の各営業日における各遊技機の実績遊技機情報（アウト玉数情報）が実績遊技機情報データベース１１ａに記憶されているものとする。
【００１９】
遊技機情報予測手段１０ｂは、要求によりあるいは所定の時期に、将来の各営業日２月１日〜２月２８日、すなわち、将来の第２の期間（２月）内の各営業日における各機種の予測遊技機情報（予測アウト球数加算情報）を算出する。（図３参照）
以下に、各機種の予測アウト玉数加算情報を算出する方法の１例を説明する。
各営業日１月１日〜１月３１日における、遊技機毎の実績遊技機情報データベース１１ａ（図２参照）が用いられている場合には、各営業日における各遊技機のアウト玉数情報を機種毎に加算し、各営業日における各機種のアウト玉数加算情報を算出する。
次に、各営業日１月１日〜１月３１日における各機種のアウト玉数加算情報を用いて、要因成分毎に回帰分析を行うことによって、将来の営業日における予測アウト玉数加算情報を算出するための算出式（詳しくは、要因成分に対応する係数）を求める。
この場合、予測アウト玉数加算情報を目的変量、イベント情報、休日情報、設置日数情報を説明変量、各営業日1月1日〜１月３１日における各機種のアウト玉数加算情報を標本とし、重回帰分析方法によって、予測アウト玉数加算情報を算出するための以下の算出式の係数ａ、ｂ、ｃを求める。
［予測アウト玉数加算情報
＝ａ×（イベント情報）＋ｂ×（休日情報）＋ｃ×（設置日数情報）］
目的変量、説明変量、標本により、重回帰分析方法を用いて予測変量を算出するための算出式を求める方法は公知であるため、本明細書では詳述しない。
重回帰分析方法を用いることによって、機種１、機種２、機種３の予測アウト玉数加算情報を算出する算出式として、例えば、以下の算出式が求められる。
［（機種１の予測アウト玉数加算情報）＝３０００×（イベント情報）
＋２００００×（休日情報）−５００×（設置日数情報）＋６２５００］
［（機種２の予測アウト玉数加算情報）＝１５００×（イベント情報）
＋２５０００×（休日情報）−２５０×（設置日数情報）＋５２５００］
［（機種３の予測アウト玉数加算情報）＝７５００×（イベント情報）
＋２５０００×（休日情報）−５０×（設置日数情報）＋４２５００］
そして、求めた算出式を用い、将来の各営業日２月１日〜２月２８日における予定イベント情報、休日情報、設置日数情報に基づいて、将来の各営業日２月１日〜２月２８日における、各機種の予測アウト玉数加算情報を算出する。（図４参照）
【００２０】
次に、遊技機情報予測手段１０ｂにより算出した、将来の各営業日２月１日〜２月２８日における、各機種の予測アウト玉数加算情報に基づいて、遊技機評価情報算出手段１０ｃにより、将来の各営業日２月１日〜２月２８日における予測遊技機評価情報を以下の方法で算出する。
まず、以下の式により予測平均アウト玉数加算情報を算出する。
［（予測平均アウト玉数加算情報）＝（機種１の予測アウト玉数加算情報
＋機種２の予測アウト玉数加算情報＋機種３の予測アウト玉数加算情報）÷３］
次に、以下の遊技機評価情報算出式により、各機種の予測アウト玉数加算情報の相対値を算出し各機種の予測遊技機評価情報とする。
［（機種１の予測相対値）＝
（機種１の予測アウト玉数加算情報）÷（予測平均アウト玉数加算情報）］
［（機種２の予測相対値）＝
（機種２の予測アウト玉数加算情報）÷（予測平均アウト玉数加算情報）］
［（機種３の予測相対値）＝
（機種３の予測アウト玉数加算情報）÷（予測平均アウト玉数加算情報）］
【００２１】
また、各機種の予測遊技機評価情報と各機種の実績遊技機評価情報を対比できるように、遊技機評価情報算出手段１０ｃにより、同様の方本で、各機種の実績遊技機評価情報を算出する。
すなわち、各営業日１月１日〜１月３１日における、各機種の実績アウト玉数加算情報に基づいて、以下の式により実績平均アウト玉数加算情報を算出する。
［（実績平均アウト玉数加算情報）＝（機種１の実績アウト玉数加算情報
＋機種２の実績アウト玉数加算情報＋機種３の実績アウト玉数加算情報）÷３］
次に、以下の遊技機評価情報算出式により、各機種の実績アウト玉数加算情報の相対値を算出して各機種の実績遊技機評価情報とする。
［（機種１の実績相対値）＝
（機種１の実績アウト玉数加算情報）÷（実績平均アウト玉数加算情報）］
［（機種２の実績相対値）＝
（機種２の実績アウト玉数加算情報）÷（実績平均アウト玉数加算情報）］
［（機種３の実績相対値）＝
（機種３の実績アウト玉数加算情報）÷（実績平均アウト玉数加算情報）］
【００２２】
以上のようにして算出した過去の各営業日１月１日〜１月３１日における各機種の実績アウト玉数加算情報の相対値と、将来の各営業日２月１日〜２月２８日における各機種の予想アウト玉数加算情報をグラフで表すと、例えば、図７に示すようなグラフとなる。
図７において、各営業日１月１日〜１月３１日のグラフは、実績相対値を示している。また、各営業日２月１日〜２月２８日のグラフは、予測相対値を示している。
また、実線は機種１の相対値、長い破線は機種２の相対値、短い破線は機種３の相対値を示している。
図７に示す予測相対値のグラフから、２月に新台を入れ替える場合には、機種１〜機種３の中で、機種１の遊技機を入れ替えればよいことが分かる。
【００２３】
以上のように、本実施の形態では、過去の第１の期間内の各営業日における各機種の実績アウト玉数加算情報に基づいて将来の第２の期間内の各営業日における各機種の予測アウト玉数加算情報を算出し、さらに、算出した将来の第２の期間内の各営業日における予測アウト玉数加算情報に基づいて、将来の第２の期間内の各営業日における各機種の予測アウト玉数情報の相対値を算出しているため、将来の第２の期間内における各機種のアウト玉に関する評価を容易に行うことができる。これにより、新台入れ替え時等における機種の選択を容易に行うことができる。
【００２４】
以上の実施の形態では、機種単位に実績可変遊技機情報を集計し、集計した機種単位の実績可変遊技機情報に基づいて機種単位の予測可変遊技機情報を算出したが、機種単位の予測可変遊技機情報の算出方法はこれに限定されない。
例えば、遊技機単位の実績可変遊技機情報に基づいて遊技機単位の予測可変遊技機情報を算出し、算出した遊技機単位の可変遊技機情報を機種単位に集計する方法を用いることができる。
また、機種単位の予測可変遊技機情報、予測遊技機評価情報、実績遊技機評価情報を算出したが、機種単位以外の種々のグループ単位の予測可変遊技機情報、予測遊技機評価情報、実績遊技機評価情報を算出するように構成することもできる。
例えば、フロア単位のグループや島単位のグループ（フロア単位及び機種単位、島単位及び機種単位を含む）毎に予測可変遊技機情報、予測遊技機評価情報、実績遊技機評価情報を算出することもできる。この場合には、フロア毎にあるいは島毎に評価を行うことができる。
【００２５】
また、グループ単位に予測可変遊技機情報、予測遊技機評価情報、実績遊技機評価情報を算出したが、遊技機単位に予測可変遊技機情報、予測遊技機評価情報、実績遊技機評価情報を算出するように構成することもできる。
この場合には、実績遊技機情報、予測可変遊技機情報、予測遊技機評価情報、実績遊技機評価情報等をグループ単位で集計する処理が不要である。
このように構成することにより、遊技機間の評価を容易に行うことができる。
【００２６】
また、遊技機毎に予測遊技機評価情報を算出する際には、遊技機毎の予測可変遊技機情報と遊技機が属するグループの予測可変遊技機情報を用いて算出することもできる。
例えば、遊技機毎の予測出玉数情報（出玉数：大当たり遊技状態が発生した時に獲得可能なパチンコ玉の数）を各遊技機の予測遊技機評価情報として用いる場合には、以下の遊技機評価情報算出式により各遊技機の予測出玉数情報を算出する。
（予測出玉数情報）
＝ａ×（予測アウト玉数情報）＋ｂ×（予測始動数情報）
＋ｃ×（予測大当たり発生確率情報）＋ｄ
ここで、係数ａ、ｂ、ｃ、ｄは、各遊技機の実績遊技機情報に基づいて、重回帰分析法帆により求める。
予測大当たり発生確率情報は、遊技機毎の実績のばらつきが大きいため、グループ単位（例えば、機種単位）の予測大当たり発生確率情報を用いる方が、予測出玉数の予測精度が高くなる。
そこで、予測大当たり発生確率情報についてはグループ単位の予測値を用い、予測アウト玉数情報、予測始動数情報については遊技機毎の予測値を用いるのが好ましい。
グループ毎の予測大当たり発生確率情報を算出する予測大当たり発生確率情報算出式、遊技機単位の予測アウト玉数情報を算出するための予測アウト玉数情報算出式、予測始動数情報を算出する予測始動数算出式は、各遊技機の実績遊技機情報に基づいて、重回帰分析方法を用いて求めることができる。
そして、将来の営業日における、グループ毎の予測大当たり発生確率情報、遊技機単位の予測アウト玉数情報予測始動数情報を前記遊技機評価情報算出式に代入して、各遊技機の予測遊技機評価情報を算出する。
なお、グループ単位の将来の営業日における予測大当たり発生確率情報は、グループ単位の予測大当たり発生確率情報を算出したものを用いてもよいし、遊技機単位の予測大当たり発生確率情報をグループ単位で集計したものを用いてもよい。
これにより、各遊技機の予測遊技機評価情報を精度よく算出することができ、遊技機間の評価を正確に行うことができる。
【００２７】
また、遊技機評価情報算出式は、予め定められているものを用いたが、ユーザが設定できるように構成してもよい。この場合には、例えば、ユーザ端末装置からの遊技機評価情報算出式の入力要求情報の受信に応答して、管理装置からユーザ端末装置に遊技機評価情報算出式入力画面情報を送信するのが好ましい。
ここで、設定された遊技機評価情報算出式で用いられる情報（可変遊技機情報）の実績値が実績遊技機情報データベースに記憶されている場合には、実績遊技機情報データベースに記憶されている実績可変遊技機情報を用い、各遊技機あるいは各グループ単位の実績遊技機評価情報を算出する。一方、実績値が実績遊技機情報データベースに記憶されていない場合には、予測可変遊技機情報算出式を用いて将来営業日における各遊技機あるいは各グループ単位の予測可変遊技機情報を算出し、算出した将来営業日における各遊技機あるいは各グループ単位の予測可変遊技機情報を用いて各遊技機あるいは各グループ単位の予測遊技機評価情報を算出する。勿論、予測遊技機評価情報のみを算出するように構成してもよい。
また、実績遊技機評価情報と予測遊技機評価情報の両方を算出するように構成してもよい。例えば、１月３１日の開店直後の場合、１月の遊技機評価情報に対しては実績遊技機評価情報を算出し、２月の遊技機評価情報に対しては予測遊技機評価情報を算出する。
これにより、ユーザは、実績可変遊技機情報が実績遊技情報データベースに記憶されているか否かを意識することなく、所望の遊技機評価情報を得るための遊技機評価情報算出式を設定することができる。
なお、ユーザが設定した遊技機評価情報中の全ての可変遊技機情報が実績遊技機情報データベースに記憶されている場合に実績遊技機評価情報を算出し、ユーザが設定した遊技機評価情報中のいずれかの可変遊技機情報が実績遊技機情報データベースに記憶されていない場合に予測遊技機評価情報を算出するように構成するのが好ましい。
また、ユーザが設定する遊技機評価情報算出式は、情報送信要求情報を送信する際に入力可能に構成してもよいし、予めユーザに対応させて記憶可能に構成してもよい。例えば、ユーザ端末装置から、各ユーザ端末装置から、各ユーザが設定した遊技機評価情報算出式を予め送信し、記憶させておく方法を用いることもできる。この場合には、ユーザは、情報の送信を要求する際に、予め記憶されている遊技機評価情報算出式を選択する。
【００２８】
また、予測遊技機評価情報を算出するために用いる情報（実績遊技機情報や将来営業日のイベント情報等）や実績遊技機評価情報を算出するために用いる情報（実績遊技機情報）を変更し、変更した情報を用いて予測遊技機評価情報（変更予測遊技機評価情報）や実績遊技機評価情報（変更実績遊技機評価情報）を算出するように構成することもできる。
例えば、過去の営業日である１月６日のイベント情報フラグが「１」に設定されている（イベントが実施された）が、１月６日にイベントが実施されなかった場合（イベント情報フラグを「０」に変更）の変更実績可変遊技機情報を算出し、さらに、変更実績可変遊技機情報を用いて変更実績遊技機評価情報を算出する。例えば、予側可変遊技機情報算出式を用いて、１月６日のイベント情報が「０」である場合の変更実績可変遊技機情報（例えば、アウト玉）を算出する。そして、変更実績可変遊技機情報を用いて、遊技機評価情報算出式により変更実績遊技機評価情報を算出する。これにより、過去の営業日「１月６日」にイベントを実施した場合の実績遊技機評価情報とイベントを実施しなかった場合の変更実績遊技機評価情報との差、すなわち、イベントの実施による効果を確認することができる。
あるいは、将来の営業日である２月２０日のイベント情報フラグを「０」に設定している（イベントを実施しない予定となっている）が、イベントを実施した場合（イベント情報フラグを「１」に変更）の変更予測可変遊技機情報を算出し、さらに、変更予測可変遊技機情報を用いて変更予測遊技機評価情報を算出する。例えば、予側可変遊技機情報算出式を用いて、２月２０日のイベント情報が「１」である場合の変更予測可変遊技機情報（例えば、アウト玉）を算出し、さらに、変更予測可変遊技機情報を用いて、遊技機評価情報算出式により変更予測遊技機評価情報を算出する。これにより、将来の営業日「２月２０日」にイベントを行わない場合の予測遊技機評価情報とイベントを行う場合の変更予測遊技機評価情報との差、すなわち、イベントの実施による効果を確認することができる。
ユーザが情報を変更する場合には、例えば、ユーザ端末装置から、変更する情報と変更する内容を示す変更指示情報を管理装置に送信する。変更指示情報は、ユーザ端末装置から管理装置に情報送信要求情報を送信する際に送信可能に構成するのが好ましい。
【００２９】
本発明は、実施の形態で説明した構成に限定されず、種々の変更、追加、削除が可能である。
例えば、遊技機情報予測手段１０ｂにより算出した予測遊技機情報を予測遊技機情報データベース１１ｃに記憶する処理、遊技機評価情報算出手段１０により算出した実績遊技機評価情報を実績遊技機評価情報データベース１１ｂに記憶する処理、遊技機評価情報算出手段１０により算出した予測遊技機評価情報を予測遊技機評価情報データベース１１ｄに記憶する処理は、一部あるいは全部を省略することができる。この場合には、対応する予測遊技機情報データベース１１ｃ、実績遊技機評価情報データベース１１ｂ、予測遊技機評価情報データベース１１ｄも省略することができる。
遊技機情報としてアウト玉数を用いたが、本発明は、遊技機の遊技機情報であればよく、アウト玉数に限定されず、各遊技機の売上情報等を用いることができる。
また、各遊技機の遊技機情報を受信して実績遊技機情報データベースの各遊技機の実績可変遊技機情報を更新し、実績遊技機情報データベースに記憶されている各遊技機の実績可変遊技機情報を各グループ単位で集計することにより各グループ単位の実績可変遊技機情報を求めたが、各遊技機の遊技機情報を受信して実績遊技機情報データベースの各グループ単位の実績可変遊技機情報を更新する方法を用いることもできる。この両者の方法は、実質的に同じ方法である。
また、機種毎の実績遊技機情報に基づいて機種毎の予測遊技機情報を算出し、算出した機種毎の予測遊技機情報に基づいて機種毎の予測遊技機評価情報を算出したが、遊技機毎の実績遊技機情報に基づいて遊技機毎の予測遊技機情報を算出し、算出した遊技機毎の予測遊技機情報に基づいて遊技毎の予測遊技機評価情報を算出することもできる。この場合には、遊技機間の評価を容易に行うことができる。
また、将来の第２の期間内の各営業日における予測遊技機評価情報を算出したが、将来の任意の営業日における予測遊技機評価情報を算出することもできる。この場合には、将来の任意の営業日におけるグループ間あるいは遊技機間の評価を行うことができる。
また、予測遊技機評価情報と実績遊技機評価情報を算出したが、予測遊技機評価情報のみを算出してもよい。
また、実績遊技機情報に基づいて予測遊技機情報を算出する方法として重回帰分析方法を用いたが、これ以外の種々の方法を用いることができる。
また、遊技機評価情報として相対値を用いたが、遊技機評価情報としては、遊技機間あるいはグループ間の評価を行うことができれば、種々の評価情報を用いることができる。
また、パチンコ機を評価する場合について説明したが、本発明は、パチンコ以外の種々の遊技機を評価する場合に適用することができる。
【図面の簡単な説明】
【００３０】
【図１】本発明をパチンコ機の評価を支援する遊技機評価支援装置として構成した実施の形態の概略構成図である。
【図２】遊技機毎の実績遊技機情報データベースの１例を示す図である。
【図３】機種毎の実績有識情報データベースの１例を示す図である。
【図４】機種毎の実績遊技機評価情報データベースの１例を示す図である。
【図５】機種毎の予測遊技機情報データベースの１例を示す図である。
【図６】機種毎の予測遊技機評価情報データベースの１例を示す図である。
【図７】機種毎の実績遊技機評価情報と予測遊技機評価情報をグラフで表した図である。
【符号の説明】
【００３１】
１１１、１１２、１２１  遊技機
１１０、１２０、２１０  台ユニット
１００、２００  島ユニット
１０  管理装置
１０ａ  遊技機情報収集手段
１０ｂ  遊技機情報予測手段
１０ｃ  遊技機評価情報算出手段
１１  記憶装置
【図１】
2006192033.tif 000003
【図２】
2006192033.tif 000004
【図３】
2006192033.tif 000005
【図４】
2006192033.tif 000006
【図５】
2006192033.tif 000007
【図６】
2006192033.tif 000008
【図７】
2006192033.tif 000009